(57)【要約】【課題】機械タイプ通信のシグナリング技術を改善すること。【解決手段】予め定義されたカバレッジレベルで固有の１以上のアクセス制御パラメータに基づくランダムアクセス手順を実行するように構成される回路を含む装置。【選択図】図４
2020512776.tif 000002
【特許請求の範囲】
【請求項１】
予め定義されたカバレッジレベルで固有の１以上のアクセス制御パラメータに基づくランダムアクセス手順を実行するように構成される回路
を含む装置。
【請求項２】
請求項１に記載の装置であって、    
前記回路は、１以上の予め定義されたカバレッジレベルに対して、各カバレッジレベルで固有の１以上のアクセス制御パラメータを受信するように構成される
装置。
【請求項３】
請求項１に記載の装置であって、
前記回路は、そのカバレッジレベルに基づくカバレッジ固有のアクセス制御パラメータを適用するように構成される
装置。
【請求項４】
請求項１に記載の装置であって、
前記回路は、測定によりそのカバレッジレベルを判定するように構成される
装置。
【請求項５】
請求項１に記載の装置であって、
４つの予め定義されたカバレッジレベルが存在し、及び／又は、２つの予め定義されたカバレッジモードが存在する
装置。
【請求項６】
請求項１に記載の装置であって、
制限時間は、前記カバレッジレベルに依存する
装置。
【請求項７】
請求項１に記載の装置であって、
前記回路は、強化カバレッジにおいて修正ランダムアクセス手順を実行し、カバレッジレベル固有のアクセス制限パラメータを考慮するように構成される
装置。
【請求項８】
請求項１に記載の装置であって、
カバレッジ固有のアクセス制御パラメータは、カバレッジ固有の制限ファクタ、カバレッジ固有の制限時間、及び／又はカバレッジ固有のアクセスクラスビットを含む
装置。
【請求項９】
請求項１に記載の装置であって、
前記回路は、カバレッジレベル再選択処理を実行するように構成される
装置。
【請求項１０】
請求項９に記載の装置であって、
前記回路は、前記カバレッジレベル再選択処理において、固有カバレッジレベルのアクセス制限チェックを実行するように構成される
装置。
【請求項１１】
請求項１０に記載の装置であって、
前記回路は、ランダムアクセス手順中にカバレッジレベルが変化したときに前記アクセス制限チェックを実行するように構成される
装置。
【請求項１２】
請求項１０に記載の装置であって、
前記回路は、前記固有カバレッジレベルに対するアクセス制限チェックが成功しなかった場合、カバレッジレベルの制限タイマが満了するのを待つように構成される
装置。
【請求項１３】
請求項１０に記載の装置であって、
前記回路は、前記固有カバレッジレベルに対するアクセス制限チェックが成功した場合、選択された強化カバレッジレベルに応じて、ランダムアクセス・プリアンブル・グループ、応答ウィンドウサイズ、衝突解消タイマ、及び／又はＰＲＡＣＨリソースを選択するように構成される
装置。
【請求項１４】
請求項１０に記載の装置であって、
前記アクセス制限チェックは、ＭＡＣレイヤ上で実行される
装置。
【請求項１５】
請求項１に記載の装置であって、
前記回路は、前記カバレッジレベルが変化したとき、制限タイマを終了するように構成される
装置。
【請求項１６】
請求項１に記載の装置であって、
前記回路は、ＲＡアクセス制限を実行し、ＲＡアクセス制限が成功した場合、他のリソース制限を実行するように構成される
装置。
【請求項１７】
請求項１６に記載の装置であって、
ＲＲＣ及びＭＡＣレイヤの独立性は維持される
装置。
【請求項１８】
請求項１に記載の装置であって、
前記回路は、特定のカバレッジレベルに対してＡＣ制限パラメータが設定された場合、高精度ＲＳＲＰ測定を実行するように構成される
装置。
【請求項１９】
請求項１に記載の装置であって、
前記装置は、ユーザ装置である
装置。
【請求項２０】
予め定義されたカバレッジレベルで固有のアクセス制御パラメータを放送するように構成された回路
を含む装置。
【請求項２１】
請求項２０に記載の装置であって、
前記装置は、カバレッジレベルアクセス制限が浅いカバレッジＵＥよりも深いカバレッジＵＥを優先するように、アクセス制御パラメータを選択するように構成される
装置。
【請求項２２】
請求項２０に記載の装置であって、
前記回路は、カバレッジ固有のアクセスクラス制限をＲＡリソースのみに適用するように構成される
装置。
【請求項２３】
請求項２０に記載の装置であって、
前記装置は、基地局等のネットワークエンティティである
装置。    
【請求項２４】
予め定義されたカバレッジレベルで固有の１以上のアクセス制御パラメータに基づくランダムアクセス手順を実行する
ことを含む方法。
【請求項２５】
プロセッサ上で実行されると、予め定義されたカバレッジレベルで固有の１以上のアクセス制御パラメータに基づくランダムアクセス手順を実行する指令
を含むコンピュータプログラム。
【発明の詳細な説明】
【技術分野】
【０００１】
本開示は、概して、モバイル通信システムのエンティティ及びユーザ装置に関する。
【背景技術】
【０００２】
ロング・ターム・エボリューション（Long Term Evolution：ＬＴＥ）は、５Ｇの要求を満たすための候補であり、これは、携帯電話機及びデータ端末のハイスピードデータ通信を可能にする無線通信技術であり、また、既に４Ｇのモバイル通信システムにおいて使用されている。５Ｇの要求に合う他の候補は、新無線アクセス技術システム（New Radio Access Technology Systems：ＮＲ）と呼ばれる。ＬＴＥがそれ以前の世代のモバイル通信技術に基づいていたことと同様に、ＮＲは、ＬＴＥ技術に基づき得る。ＬＴＥは、第２世代（２Ｇ）のＧＳＭ(登録商標）／ＥＤＧＥ（Global System for Mobile Communications／Data rate for GSM Evolution ＥＧＰＲＳとも呼ばれる）及び第３世代（３Ｇ）のＵＭＴＳ／ＨＳＰＡ（Universal Mobile Telecommunications System／High Speed Packet Access）ネットワークテクノロジーに基づいている。ＬＴＥは、３ＧＰＰ（3rd Generation Partnership Project）の制御下において標準化されている。３ＧＰＰの制御下において標準化されてもいる基本ＬＴＥよりもより高いデータレートを可能にする後継のＬＴＥ−Ａ（LTE-Advanced）が存在している。将来的には、３ＧＰＰは、ＬＴＥ−Ａが５Ｇの技術的要求を満たすことができるように、ＬＴＥ−Ａをさらに発展させることを計画している。
【０００３】
インターネット・オブ・シングス（Internet of things：ＩｏＴ）の用語は、物理的装置、乗り物、建物、並びに、電子装置、ソフトウェア、センサ、アクチュエータ、及びこれらの物体のデータの選択及び交換を可能にするネットワーク接続体等において提供されるその他のアイテムにおけるインターネットワーキングを意味する。このような物体は、接続装置、スマート装置等とも呼ばれる。
【０００４】
機械タイプ通信（Machine Type Communication：ＭＴＣ）では、ＩｏＴ装置が人的な介在なしに自律的な方法で情報を交換することが可能である。３ＧＰＰは、機械タイプ通信（ＭＴＣ）におけるＬＴＥネットワークの改善に取り組んでいる最中である。例としては、新たなパワークラスの強化ＮＢ−ＩｏＴ（Narrow Band IoT（Release-13））（ｅＮＢ−ＩｏＴ（enhanced NB-IoT（Release-14））、改善された移動サポート及びマルチキャストメッセージング、あるいは、ＶｏＬＴＥ（Voice over LTE）サポート及びマルチキャストメッセージングを含むｅＭＴＣ（enhanced Machine Type Communication（Release-13））（ｆｅＭＴＣ：further enhanced MTC（Release-14））のさらなる強化型などである。これらの改善は、大規模ＭＴＣ（massive MTC：ｍＭＴＣ）の５Ｇネットワークに向けての次のステップである。
【０００５】
ｅＭＴＣは、機械タイプ通信装置等のための低いキャスト及び高いカバレッジをサポートする３ＧＰＰ  ＩｏＴ技術である。この技術は、ロング・ターム・エボリューション（ＬＴＥ）に基づき、ｅＭＴＣ装置は、ＬＴＥホストキャリア内でサポートされる。
【０００６】
３ＧＰＰ標準化のリリース１３では、ＬＴＥ−Ｍ（LTE M2M）がＬＴＥ  Ｍ２Ｍ（Machine to Machine）通信用に開発された。ＬＴＥ−Ｍは、ＬＴＥ  Ｃａｔ  １．４ＭＨｚ及びＬＴＥ  Ｃａｔ  ２００ｋＨｚとして知られる新たなカテゴリを導入している。
【０００７】
【発明の概要】
【発明が解決しようとする課題】
【０００８】
機械タイプ通信（ＭＴＣ）のためのシグナリング技術が存在しているが、一般的に、このような技術においてシグナリングの改善が望まれている。
【課題を解決するための手段】
【０００９】
第１の側面では、本開示は、予め定義されたカバレッジレベルで固有の１以上のアクセス制御パラメータに基づくランダムアクセス手順を実行するように構成される回路を含む装置を提供する。
【００１０】
さらなる側面では、本開示は、予め定義されたカバレッジレベルで固有のアクセス制御パラメータを放送するように構成された回路を含む装置を提供する。
【００１１】
さらなる側面では、本開示は、予め定義されたカバレッジレベルで固有の１以上のアクセス制御パラメータに基づくランダムアクセス手順を実行することを含む方法を提供する。
【００１２】
さらなる側面では、本開示は、プロセッサ上で実行されると、予め定義されたカバレッジレベルで固有の１以上のアクセス制御パラメータに基づくランダムアクセス手順を実行する指令を含むコンピュータプログラムを提供する。
【００１３】
さらなる側面は、独立請求項、以降の明細書、図面に記載されている。    
【００１４】
【図面の簡単な説明】
【００１５】
【図１】ＴＳ３６．３３１において定義されるアクセス制限チェックを概略的に示す図である。
【図２】ＣＥレベルアクセス制限毎のアクセスクラス制限パラメータを含む拡張ＳＩＢ２情報の一実施形態を示す図である。
【図３】誤ったＣＥレベル判定の一例を示す図である。
【図４】標準において定義されたＲＡＣＨ手順のＣＥレベルの再選択の側面を示す図である。
【図５】修正ＲＡＣＨ手順の一実施形態を示す図である。
【図６】修正アクセス制限チェックの一実施形態を示す図である。
【図７】ＣＥレベル毎の２つのステージのアクセスクラス制限の一実施形態を示す図である。
【図８】特定のＣＥレベルに対してＡＣ制限パラメータが設定され場合に高精度ＲＳＲＰ測定が実行される一実施形態を示す図である。
【図９】本明細書で説明されるような任意のタイプの装置、エンティティ、基地局、新たな無線基地局、送信及び受信ポイント、ユーザ装置等として機能することが可能な汎用コンピュータの一実施形態を示す図である。
【発明を実施するための形態】
【００１６】
実施形態は、添付の図面に対応して一例として説明される。
【００１７】
図１を参照した実施形態の詳細な説明の前に、一般的な説明を行う。
【００１８】
本実施形態は、予め定義されたカバレッジレベルで固有の１以上のアクセス制御パラメータに基づくランダムアクセス手順を実行するように構成される回路を含む装置含む装置に関する。
【００１９】
本実施形態において説明される装置は、例えば、モバイル通信システムエンティティ、特にユーザ装置、ＭＴＣ  ＵＥ（User Equipment）、基地局（ｅＮｏｄｅＢ）等であってもよい。特に、ランダムアクセス手順を実行するように構成された回路を含む装置は、ＵＥ、又はＭＴＣ  ＵＥであってもよい。
【００２０】
本実施形態で説明される装置は、例えば、ＬＴＥ又はアドバンスドＬＴＥタイプの装置等のような３ＧＰＰに準拠した通信装置であってもよい。この装置は、５Ｇ又は他の新無線アクセス技術システム（ＮＲ）の要求を満たしてもよい。
【００２１】
回路は、プロセッサ、マイクロプロセッサ、専用回路、メモリ、ストレージ、無線インターフェース、ネットワークインターフェースや、例えば、ｅＮｏｄｅＢ等の基地局に含まれる典型的な電子部品などのうち、少なくとも１つを含んでいてもよい。
【００２２】
ランダムアクセス手順を実行するように構成された回路を含む装置は、例えば、アクセスクラス制限に基づくカバレッジレベルを許容してもよい。
【００２３】
ユーザ装置がその測定結果に応じて１つのサブセットに帰属し得るように、カバレッジレベルは、ユーザ装置の測定（例えば、参照信号受信パワー（Reference Signal Received Power：ＲＳＲＰ）測定）を予め定義されたサブセットに分類する任意の情報であってもよい。カバレッジレベルは、例えば、ＬＴＥ標準で定義されたＣＥ（Coverage Enhancement）レベルあってもよい。例えば、ＣＥレベル０、ＣＥレベル１、ＣＥレベル２、ＣＥレベル３等のように、４つの予め定義されたカバレッジレベルが存在していてもよい。カバレッジレベルは、標準又は強化カバレッジレベルであってもよい。
【００２４】
カバレッジレベルは、カバレッジモードに帰属していてもよい。例えば、ＣＥレベル０、ＣＥレベル１などのカバレッジレベルは、ＣＥモードＡに帰属していてもよく、一方で、ＣＥレベル２、ＣＥレベル３などのカバレッジレベルは、ＣＥモードＢに帰属していてもよく、ここで、ＣＥモードＡは浅いカバレッジレベルに関連し、ＣＥモードＢは、深いカバレッジレベルに関連する。深いカバレッジレベルは、特に、建物の中に位置するＵＥ又はＭＴＥ  ＵＥに関連していてもよい。実施形態が"予め定義されたカバレッジレベル固有の"又は"カバレッジ固有の"パラメータに言及している限り、これは、例えば、固有のカバレッジレベル（例えば、ＣＥレベル）に対して定義されたパラメータに言及している場合があり、又は、これは、固有のカバレッジモード（例えば、ＣＥモード）に対して定義されたパラメータに言及している場合がある。
【００２５】
アクセス制御パラメータは、ランダムアクセスチャネル（例えば、ＲＡＣＨ: Random Access Channel、ＰＲＡＣＨ：Physical Random Access Channel）等のような通信チャネル、又はデータチャネル等の他のリソースへのユーザ装置のアクセスを制御することを目的とした任意のパラメータであってもよい。アクセス制御パラメータは、例えば、アクセスクラス制限（Access Class Barring：ＡＣＢ）、拡張アクセス制限（Extended Access Barring：ＥＡＢ）、又は、データ通信用アプリケーション固有輻輳制御（Application specific Congestion control for Data Communication：ＡＣＤＣ）等のアクセス制御のための技術に関連していてもよい。
【００２６】
以降で開示される実施形態は、アクセス制限メカニズムを適用してもよい。これは、異なるネットワークポリシーの使用を許可する可能性がある。また、以降で説明される実施形態は、アイドルモードＵＥの改善されたアクセス／ロード制御をもたらす可能性がある。
【００２７】
実施形態では、回路は、１以上の予め定義されたカバレッジレベル（例えば、ＣＥレベル０、ＣＥレベル１、ＣＥレベル２、ＣＥレベル３）に対して、各カバレッジレベルで固有の１以上のアクセス制御パラメータを受信するように構成される。
【００２８】
例えば、回路は、拡張システム情報ブロック２（Extended System Information Block 2：ＳＢＩ２）等のシステム情報からカバレッジレベル固有パラメータを読み出してもよい。ＳＢＩ２拡張は、例えば、ＲＡリソース（ＲＡ：Random Access）及び他のネットワークリソースに対するＣＥレベル毎のアクセス制限パラメータを含んでいてもよい。
【００２９】
実施形態では、回路は、そのカバレッジレベルに基づくカバレッジ固有のアクセス制御パラメータを適用するように構成されていてもよい。例えば、ＵＥは、その独自のカバレッジレベルに属するそれらのカバレッジ固有のアクセス制御パラメータを選択及び適用してもよい。
【００３０】
回路は、測定によりその（各ＵＥの）カバレッジレベルを判定するように構成されていてもよい。測定は、例えば、ＲＳＲＰ測定であってもよく、また、カバレッジレベルは、演算によりＲＳＲＰ測定に基づいて判定されてもよい。
【００３１】
実施形態では、４つの予め定義されたカバレッジレベル（例えば、ＣＥレベル０、ＣＥレベル１、ＣＥレベル２、ＣＥレベル３）が存在し、及び／又は、２つの予め定義されたカバレッジモード（例えば、ＣＥモードＡ、ＣＥモードＢ）が存在する。このようなカバレッジレベル及び／又はカバレッジモードは、例えば、ＬＴＥ標準等の標準において定義されてもよい。
【００３２】
回路は、深いカバレッジにおいて修正ランダムアクセス（ＲＡ）手順を実行するように構成されていてもよく、また、カバレッジレベル固有のアクセス制限パラメータを考慮するように構成されていてもよい。
【００３３】
カバレッジ固有のアクセス制御パラメータは、例えば、カバレッジ固有の制限ファクタ（ａｃ−制限ファクタ：ac-BarringFactor）、カバレッジ固有の制限時間（ａｃ−制限時間：ac-BarringTime）、及び／又は、カバレッジ固有のアクセスクラスビット（ａｃ−特別ＡＣ制限：ac-BarringForSpecialAC）を含んでいてもよい。カバレッジ固有のアクセス制御パラメータは、例えば、ランダムアクセス手順の乱数テストを制御するａｃ−制限ファクタ（ac-BarringFactor）を含んでいてもよい。さらに、カバレッジ固有のアクセス制御パラメータは、制限時間  ｔ制限（Tbarring）の算出に用いられるパラメータａｃ−制限時間（ac-BarringTime）を含んでいてもよい。さらに、カバレッジ固有のアクセス制御パラメータは、ＣＥ毎のレベル基準でＵＥのアクセスを制御するアクセスクラスビット（例えば、特別アクセスクラス１１・・１５のａｃ−特別ＡＣ制限（ac-BarringForSpecialAC））を含むパラメータを含んでいてもよい。
【００３４】
実施形態では、回路は、カバレッジレベル再選択処理を実行するように構成されていてもよい。装置は、例えば、ＲＡリソースウィンドウ内でランダムアクセスリソースが受信されなかった場合、又は、ランダムアクセス応答の受信が成功しなかったと見做された場合に、カバレッジレベル再選択処理を実行してもよい。
【００３５】
回路は、例えば、カバレッジレベル再選択処理中において、固有カバレッジレベルのアクセス制限チェックを実行するように構成されていてもよい。
【００３６】
例えば、回路は、ランダムアクセス手順中においてカバレッジレベルが変化したときに、アクセス制限チェックを実行するように構成されていてもよい。
【００３７】
回路は、固有カバレッジレベルのアクセス制限チェックが成功しなかった場合に、このカバレッジレベルの制限タイマが満了するのを待つように構成されていてもよく、また、回路は、固有カバレッジレベルのアクセス制限チェックが成功した場合に、選択された強化カバレッジレベルに応じて、ランダムアクセス・プリアンブル・グループ、応答ウィンドウサイズ、衝突解消タイマ、及び／又はＰＲＡＣＨリソースを選択するように構成されていてもよい。
【００３８】
このようなアクセス制限チェックは、ＭＡＣ（Medium Access Control）レイヤ上で実行されてもよい。
【００３９】
実施形態では、回路は、カバレッジレベルが変化したときに制限タイマを終了するように構成されていてもよい。
【００４０】
回路は、ＲＡアクセス制限を実行し、ＲＡアクセス制限が成功した場合、他のリソース制限を実行するように構成されていてもよい。例えば、第１段階では、ＲＡ手順を初期化する前に、ＲＡリソース制限がチェックされ、ＲＡリソースが輻輳でないと判定された場合に、ＵＥがＲＡ手順を実行し、その正確なカバレッジレベルを判定し、また、ＲＡ手順の途中においてアクセス制限を適用しない。一旦、カバレッジレベルが判定されると、その後、ＵＥは、ＲＲＣ（Radio Resource Control）接続要求又はＭｓｇ３を送信する前に、正確なカバレッジレベルのアクセス制限チェックを実行する。従って、ＲＲＣ及びＭＡＣレイヤの独立性が維持され得る。
【００４１】
実施形態では、回路は、特定のカバレッジレベルに対してＡＣ制限パラメータが設定された場合、高精度ＲＳＲＰ測定を実行するように構成されていてもよい。例えば、正確なカバレッジレベルを判定するための正確な測定を実行するための指示が用いられてもよく、また、対応する制限パラメータが適用されてもよい。
【００４２】
実施形態では、予め定義されたＣＥレベルで固有のアクセス制御パラメータを放送するように構成された回路を含む装置も開示される。このような装置は、例えば、基地局（ｅＮｏｄｅＢ、ｅＮＢ）等のようなネットワークエンティティであってもよい。このような装置の回路は、カバレッジレベルアクセス制限が浅いカバレッジＵＥよりも深いカバレッジＵＥを優先するように、アクセス制御パラメータを選択するように構成されていてもよい。
【００４３】
回路は、カバレッジ固有のアクセスクラス制限をＲＡリソースのみに適用するように構成されていてもよい。従って、オペレータが深いカバレッジＵＥからの追加収益に興味がある場合に、ＣＥレベルアクセス制限は深いカバレッジＵＥを許容し、また、このような場合、ネットワークが、輻輳のときに浅いカバレッジＵＥを制限し得る。
【００４４】
実施形態では、予め定義されたカバレッジレベルで固有の１以上のアクセス制御パラメータに基づくランダムアクセス（ＲＡ）手順を実行することを含む方法も開示される。
【００４５】
実施形態では、プロセッサ上で実行されると、予め定義されたカバレッジレベルで固有の１以上のアクセス制御パラメータに基づくランダムアクセス（ＲＡ）手順を実行する指令を含むコンピュータプログラムも開示される。
【００４６】
実施形態では、このようなコンピュータプログラムを記録する機械読み取り可能な媒体も開示される。
【００４７】
ＬＴＥアクセスクラス制限
ランダムアクセスチャネル（ＲＡＣＨ）は、物理チャネル（ＰＲＡＣＨ）上で１対１にマップされたアップリンクにおける共通のトランスポートチャネルである。ランダムアクセス手順の主たる目的は、アップリンク同期を達成すること、及び初期アタッチの許可を得ることである。
【００４８】
ＵＥは、ランダムアクセス手順の最初のメッセージを送信するとき、基本的には、ＲＡＣＨプリアンブルと呼ばれる特定のパターン又はシグネチャを送信する。プリアンブル値は、異なるＵＥから来る要求を区別する。仮に２台のＵＥが同じＲＡＣＨプリアンブルを同時に使用した場合、衝突が生じ得る。ＬＴＥシステムにおけるＲＡ輻輳の問題を解消するため、異なる解決法が適用される。
【００４９】
アクセス制限パラメータ等のランダムアクセス手順についての基本情報は、ＳＩＢ（System Information Block）２を介してＵＥへ知らされる。仮に、アクセス制限パラメータがＳＩＢ２において放送され、ＵＥがアクセスクラス（０〜１５、０〜９は通常のＡＣ（Access Class）、１０以降は特別ＡＣ）に関連付けられ、現在において制限されている場合、ＵＥは乱数を描画し、それを放送された制限ファクタ値と比較する。仮に、その数が放送された値よりも大きい場合、ＵＥは、セルへのアクセスが制限されていると判断し、それ以外の場合は、アクセスが制限されていないと判断する。これは、セクション５．３．３．１１"アクセス制限チェック"の［１］（ＴＳ３６．３３１）に規定されている。
【００５０】
図１は、セクション５．３．３．１１"アクセス制限チェック"の［１］（ＴＳ３６．３３１）のアクセス制限チェックを概略的に示している。１０１では、タイマＴ３０２又は"Ｔ制限（Tbarring）"が動作しているかの判定が行われる。イエスの場合、処理が１０２へ進み、ノーの場合、処理が１０３へ進む。１０２では、セルへのアクセスが制限されていると判断される。１０３では、ＳＩＢ２が情報要素"ＡＣ制限パラメータ"を含むかどうかが判定される。イエスの場合、処理が１０４へ進み、ノーの場合、処理が１０７へ進む。１０４では、ＴＳ２２．００１［３］及びＴＳ２３．１１２［４］（ＡＣ１２、１３、１４は、本国での使用にのみ有効であり、ＡＣ１１、１５は、ＨＰＬＭＮ／ＥＨＰＬＭＮでの使用にのみ有効）に応じてＵＥが使用するのに有効なアクセスクラスであって、１１〜１５の範囲内の値でＵＳＩＭ上に記憶された、１以上のアクセスクラスをＵＥが有しているかどうかが判定される。１０４では、さらに、これらの有効アクセスクラスの少なくとも１つについて、"ＡＣ制限パラメータ"情報要素（図２のａｃ−制限設定：ac-BarringConfig）に含まれるａｃ−特別ＡＣ制限（ac-BarringForSpecialAC）情報要素における対応ビッドがゼロに設定されているかどうかが判定される。イエスの場合、処理が１０７へ進み、ノーの場合、処理が１０５へ進む。１０７では、セルへのアクセスが制限されていないと判断される。１０５では、０≦ｒａｎｄ＜１の範囲で一様に分布する乱数"ｒａｎｄ"が描画され、処理が１０６へ進む。１０６では、"ｒａｎｄ"が、"ＡＣ制限パラメータ"に含まれるａｃ−制限ファクタ（ac-BarringFactor）により示される値よりも小さいかどうかが判定される。イエスの場合、処理が１０７へ進み、ノーの場合、処理が１０８へ進む。既に上述のように、１０７では、セルへのアクセスが制限されていないと判断される。１０８では、セルへのアクセスが制限されていると判断され、処理が１０９へ進む。１０９では（セルへのアクセスが禁止され、且つ、Ｔ３０２及び"Ｔ制限（Tbarring）"の両方のタイマが動作していない）、０≦ｒａｎｄ＜１の範囲で一様に分布する乱数"ｒａｎｄ"が描画され、処理が１１０へ進む。１１０では、"ＡＣ制限パラメータ"に含まれる"ａｃ−制限時間（ac-BarringTime）"が使用されて、以下に示される式で計算されるタイマ値で、タイマ"Ｔ制限（Tbarring）"が開始される："Ｔ制限（Tbarring）"＝（０．７＋０．９×ｒａｎｄ）×ａｃ−制限時間（ac-BarringTime）。１０１及び１０２に関して説明したように、このタイマ"Ｔ制限（Tbarring）"が動作している限り、セルへのアクセスが制限されていると判断される。タイマＴ３０２は、ＲＲＣ接続のセットアップリピティションを遅延させるために用いられ、また、タイマ"Ｔ制限（Tbarring）"はランダムバックオフタイマとして用いられる。
【００５１】
つまり、ＡＣ０〜９の通常のＵＥでは、１０４の判定に引っかかる。これらのアクセスは、ａｃ−制限ファクタ（ac-BarringFactor）及びａｃ−制限時間（ac-BarringTime）により制御される。ＵＥは、乱数を生成し（図１の１０５）、ＵＥにより生成された"ｒａｎｄ"は、ＵＥのアクセスのために"永続的な"判定をパスしなければならない（図１の１０６）。ａｃ−制限ファクタ（ac-BarringFactor）を小さい値に設定することにより、通常のＡＣのアクセスが制限され（ＵＥは、アクセスのために閾値よりも小さい"ｒａｎｄ"を生成しなければならない）、一方で、ＡＣ１１〜１５の優先ユーザは、対応するＡＣビットが設定されている場合、如何なる制限もなくアクセスを行うことができる。
【００５２】
ＥＡＢ（Extended Access Barring mechanism introduced for MTC device）も、アクセスクラスに基づいているが、これに加えて、ＥＡＢカテゴリ（ａ、ｂ、ｃ）を有している。
【００５３】
ＮＢ−ＩｏＴアクセス制限もアクセスクラスに基づいている。しかしながら、サービス固有のアクセス制限を提供するＡＣＤＣ（Application specific Congestion control for Data Communication）は、ＡＣではなく、ＡＣＤＣカテゴリ（ＰＬＭＮ毎の１６カテゴリ）で動作する。
【００５４】
アクセス制限は、以下に示されるタイプのコールに適用され、制限時間及びファクタに関連付けられ、また、ＰＬＭＮ毎に適用される：緊急コール、ＭＯ（Mobile Originating）−シグナリング、ＭＯ−データ、ＭＭＴＥＬ（Multimedia Telephony Service）ボイス、ＭＭＴＥＬビデオ、ＣＳＦＢ、及び無人データ伝送。技術的には、上記で挙げられた全てのタイプは、異なるカバレッジエリアのＭＴＣ  ＵＥに適用可能である。
【００５５】
カバレッジ強化
ＬＴＥでは、ｅＮＢが、接続される全てのＵＥと効果的に通信できるように、カテゴリ情報が使用される。ＵＥカテゴリは、組み合わされたアップリンク及びダウンリンクカテゴリを定義する。ｅＭＴＣ（ＬＴＥ−Ｍとしても知られる）は、カテゴリＭにおけるカバレッジ強化（Coverage Enhancement：ＣＥ）を導入する。
【００５６】
カバレッジ強化は、セルの範囲を拡張、あるいは、建物内のシグナルパターンを改善することができる。ＣＥモードＡ及びＣＥモードＢの２つのカバレッジ強化モードが存在する。モードＡ及びモードＢの間の主な違いは、カバレッジ強化モードＡが通常のカバレジ強化のみをサポートするのに対して、カバレッジ強化モードＢは、深いカバレッジをサポートする点である。これらの２つのモードは、ＲＲＣ接続状態に対して特定され、これらは、サブフレームリピティション、周波数ホッピング、参照シンボルのブースト、及び強化ＰＲＡＣＨ、並びに、伝送力の増加等の様々な技術を使用して最大１５ｄＢの強化を提供する。ＣＥモードＡ及びＣＥモードＢの２つのモードは、ＲＲＣ接続状態について特定されるので、これらはｅＮＢにより設定される。
【００５７】
［６］で説明されているように、どちらのＣＥモードを使用するかは、ＣＥレベル（リピティションレベル）に依存する。例えば、モードＡ及びモードＢは、それぞれ、サブフレームリピティションの異なる最大数をサポートする。ＣＥモードＡでは、リピティションが存在しないか、あるいは、少数のリピティションが存在する。ＣＥモードＡでの動作は、ＵＥカテゴリ１のカバレッジと同等のカバレッジである。１Ｒｘ１、６ＰＲＢ狭帯域、及びＬＣ−ＭＴＥの減少アップリンク伝送パワーに起因するＬＣ−ＭＴＣ及びＵＥカテゴリ１の間のカバレッジの違いは、少数のリピティションを利用することにより補償される。
【００５８】
ＣＥモードＢでは、多数のリピティションが存在する。ＣＥモードＢで動作するＭＴＣ  ＵＥは、ＵＥカテゴリ１に対して最大１５ｄＢのカバレッジ強化のカバレッジを持つ。ＣＥモードＢは、想定されるユースケースが地下で動作するスマートメータ用である、固定式（あるいは、移動が制限されている）の建物内の装置を対象としている。なお、Ｒｅ１−１３  ＬＣ−ＭＴＣは、地下における固定式のスマートメータ用だけでなく、例えば、スマートウォッチ、ウェアラブル装置、スマートセンサ等他にも広範囲に応用され得る。地下の不運なスマートメータ以外の応用では、深いカバレッジが使用される可能性は低く、適度な移動が予想される。
【００５９】
例えば、［７］では、ＵＥの最新のＰＲＡＣＨ  ＣＥレベルが０又は１である場合、ランダムアクセス応答グラントの内容は、ＣＥモードＡに応じてインタープリットされる。ＵＥの最新のＰＲＡＣＨ  ＣＥレベルが２又は３である場合、ランダムアクセス応答グラントの内容は、ＣＥモードＢに応じてインタープリットされる。さらに、［２］では、プリアンブルは、各ＣＥレベルのランダムアクセス・プリアンブル・グループに含められる。つまり、同じＣＥレベルのＵＥは、同じＲＡＣＨリソースを使用する。
【００６０】
ＣＥレベル毎のＡＣＢ
上述のＡＣＢ、ＥＡＢ、ＡＣＤＣ等のアクセス制御のための既存の技術は、ＣＥモードＡで良好に機能することが想定されている。しかしながら、ＣＥレベル毎のＡＣＢは、より良好な制御を提供することができる。従って、以下で説明される実施形態は、"ＣＥレベル毎の"ＡＣＢ（ＣＥレベル固有パラメータを有するＡＣＢ）の導入の詳細に関連する。
【００６１】
以下で説明される実施形態は、ネットワークがＣＥレベル毎のアクセス制御パラメータ（例えば、ＡＣＢ／ＥＡＢ／ＡＣＤＣ）を放送する可能性を導入する。ＣＥレベルアクセス制限のこのアプローチによるネットワークの柔軟性によって、例えば、許可しないか又は少数の深いカバレッジＵＥのみを許可することにより、最大数のＵＥのネットワーク／セルへのアクセスを可能にする。さらに、ＣＥレベルアクセス制限は、深いカバレッジＵＥを許容し、仮にオペレータが深いカバレッジＵＥからの追加収益の増加に興味を持っている場合、このような場合にネットワークは、輻輳のときに浅いカバレッジＵＥをさらに制限し得る。
【００６２】
ＭＴＣ  ＵＥは、拡張ＳＩＢ２内の上述のパラメータを読み出し、そのカバレッジレベルに基づく制限パラメータを適用する。
【００６３】
図２は、ＣＥレベル毎のアクセス制限のためのアクセスクラス制限パラメータを含む拡張ＳＩＢ２情報の一実施形態を示している。ＳＩＢ２情報は、情報要素、ＡＣ−制限設定（AC-BarringConfig）２０１を含む。このＩＥ（Information Element：情報要素）  ＡＣ−制限設定（AC-BarringConfig）２０１は、ＣＥレベル０のＵＥのためのアクセスクラス制限パラメータを搬送するａｃ−制限設定レベル０（ac-BarringConfigLevel0）情報要素２０２、ＣＥレベル１のＵＥのためのアクセスクラス制限パラメータを搬送するａｃ−制限設定レベル1（ac-BarringConfigLevel1）情報要素２０３、ＣＥレベル２のＵＥのためのアクセスクラス制限パラメータを搬送するａｃ−制限設定レベル２（ac-BarringConfigLevel2）情報要素２０４、及び、ＣＥレベル３のＵＥのためのアクセスクラス制限パラメータを搬送するａｃ−制限設定レベル３（ac-BarringConfigLevel3）情報要素２０５を含む。
【００６４】
ａｃ−制限設定レベル０（ac-BarringConfigLevel0）情報要素２０２は、ＣＥレベル０のＵＥのアクセスクラス制限パラメータを搬送、つまり、ａｃ−制限ファクタ（ac-BarringFactor）２０２−１、ａｃ−制限時間（ac-BarringTime）２０２−２、及びａｃ−特別ＡＣ制限（ac-BarringForSpecialAC）２０２−３を搬送する。情報要素ａｃ−制限ファクタ（ac-BarringFactor）２０２−１は、ＣＥレベル０のＵＥのためのランダムアクセス手順の乱数判定を制御する（図１の１０５、１０６）。
【００６５】
ＣＥレベル０のＵＥによって描画（図１の１０５）された乱数が、ａｃ−制限ファクタ（ac-BarringFactor）２０２−１のこの値よりも小さかった場合、アクセスがＣＥレベル０のＵＥにより許可されると判断される。そうでなければ、アクセスがＣＥレベル０のＵＥにより制限されると判断される。タイプＥＮＵＭＥＲＡＴＥＤ｛ｐ００、ｐ０５、ｐ１０、ｐ１５、ｐ２０、ｐ２５、ｐ３０、ｐ４０、ｐ５０、ｐ６０、ｐ７０、ｐ７５、ｐ８０、ｐ８５、ｐ９０、ｐ９５｝のａｃ−制限ファクタ（ac-BarringFactor）２０２−１の値は、範囲［０、１）：ｐ００＝０、ｐ０５＝０．０５、ｐ１０＝０．１０、・・・ｐ９５＝０．９５にインタープリットされる。タイプＥＮＵＭＥＲＡＴＥＤ｛ｓ４、ｓ８、ｓ１６、ｓ３２、ｓ６４、ｓ１２８、ｓ２５６、ｓ５１２｝のパラメータａｃ−制限時間（ac-BarringTime）２０２−２は、制限時間、ｔ制限（Tbarring）（図１の１１０）を算出するのに使用される。タイプＢＩＴ  ＳＴＲＩＮＧ（ＳＩＺＥ（５））のパラメータａｃ−特別ＡＣ制限（ac-BarringForSpecialAC）２０２−３は、ＡＣ１１〜１５のＣＥレベル０のＵＥのアクセスを制御する５ビットの文字列である。１１〜１５の範囲の値の、１以上のＡＣを持つＣＥレベル０のＵＥであって、これらの有効ＡＣの少なくとも１つについて、ａｃ−特別ＡＣ制限（ac-BarringForSpecialAC）２０２−３に含まれる対応ＡＣビットがセットされたＣＥレベル０のＵＥは、セルへのアクセスが制限されていないと判断する（図１の１０４）。
【００６６】
ａｃ−制限設定レベル１（ac-BarringConfigLevel1）情報要素２０３は、ＣＥレベル１のＵＥの対応するアクセスクラス制限パラメータを搬送、つまり、ａｃ−制限ファクタ（ac-BarringFactor）２０３−１、ａｃ−制限時間（ac-BarringTime）２０３−２、及びａｃ−特別ＡＣ制限（ac-BarringForSpecialAC）２０３−３を搬送する。ａｃ−制限設定レベル２（ac-BarringConfigLevel2）情報要素２０４は、ＣＥレベル２のＵＥの対応するアクセスクラス制限パラメータを搬送、つまり、ａｃ−制限ファクタ（ac-BarringFactor）２０４−１、ａｃ−制限時間（ac-BarringTime）２０４−２、及びａｃ−特別ＡＣ制限（ac-BarringForSpecialAC）２０４−３を搬送する。ａｃ−制限設定レベル３（ac-BarringConfigLevel3）情報要素２０５は、ＣＥレベル３のＵＥの対応するアクセスクラス制限パラメータを搬送、つまり、ａｃ−制限ファクタ（ac-BarringFactor）２０５−１、ａｃ−制限時間（ac-BarringTime）２０５−２、及びａｃ−特別ＡＣ制限（ac-BarringForSpecialAC）２０５−３を搬送する。これらのパラメータの説明に関しては、ａｃ−制限設定レベル０（ac-BarringConfigLevel0）２０２に関する上記の説明が参照される。
【００６７】
ａｃ−制限設定レベル０（ac-BarringConfigLevel0）の設計は、現在に使用に基づいている。例えば、［１］及び［２］においてＡＣ−制限設定（AC-BarringConfig）として定義された同じ情報要素は、ＡＣ−制限設定レベル０（ac-BarringConfigLevel0）として使用され得る。ＡＣ−制限設定レベル１（ac-BarringConfigLevel1）、ＡＣ−制限設定レベル２（ac-BarringConfigLevel2）、ＡＣ−制限設定レベル３（ac-BarringConfigLevel3）についても同様である。
【００６８】
例えば、ＣＥレベル０のＡＣパラメータを転送するために、［１］及び［２］において定義されたＡＣ−制限設定（AC-BarringConfig）が使用されてもよく、また、ＣＥレベル１、２及び３の各ＡＣパラメータを転送するために、ＳＩＢ２に同じ構造の３つの追加的な情報要素が加えられてもよい。
【００６９】
当業者であれば、ＣＥレベルの数、情報要素内のパラメータの位置、及び情報要素の正確な構造に関するこの実施形態からの如何なる逸脱も、通常の一般的な知識の範囲内であると理解されるであろう。本開示は、従って、上記の特定の一例に限定されない。
【００７０】
上述の実施形態では、［１］、［２］のＡＣＢメカニズムが、ＣＥレベル毎の側面の観点から適合されていた。しかしながら、本開示は、ＡＣＢパラメータに限定されない。他の実施形態では、ＥＡＢパラメータがＣＥレベル毎に放送され、また、さらに別の実施形態では、ＡＣＤＣパラメータ、あるいは、このようなパラメータの任意の組合せがＣＥレベル毎に放送される。さらに別の実施形態では、幾つかのアクセスメカニズムのみがＣＥレベル毎に実現化され、例えば、ＡＣＢパラメータがＣＥレベル毎に放送されずにＥＡＢパラメータ、あるいは、ＡＣＤＣパラメータのみがＣＥレベル毎に放送されてもよい。
【００７１】
ＣＥレベル"再選択"及びアクセスクラス制限
ＵＥが深いカバレッジ内に位置し、ＵＥが正確なＣＥレベルを認識していない場合、ＲＳＲＰ測定精度の問題が生じる。例えば、ＣＥモードＢの全てのＵＥは、図３に示されるＣＥレベル２におけるそれらの存在を判断することができる。
【００７２】
図３は、誤ったＣＥレベル判定の一例を示す図である。ＲＳＲＰ測定の異常が原因で、ＵＥ３０１−１、３０１−２、３０１−３、３０１−４、３０１−５の幾つかは、実際のレベルがＣＥレベル３であるにもかかわらず、ＣＥレベル２でそれらの位置を誤って判定してしまっている。図３において破線の矢印で示されているように、この例では、ＵＥ３０１−１、３０１−４、３０１−５は、ＣＥレベル２でそれらの位置を誤って判断してしまっている。これらのプリアンプルは、ＣＥレベル２でその存在を判断する全てのＵＥ３０１−１、３０１−２、３０１−３、３０１−４、３０１−５によって使用されるので、ＣＥレベル２に区分されたＲＡＣＨリソースが過負荷となる。ランダムアクセス（ＲＡ）リソースの過負荷が生じると、ランダムアクセス応答（Random Access Responce：ＲＡＲ）においてバックオフタイマが送信される。しかし、ＲＡプリアンブルが何度も繰り返され、衝突の可能性が上昇する。従って、ネットワークが、ＣＥレベル毎のアクセス制限パラメータを設定し、これに応じてＲＡリソースをディメンジョン化すると有益である。
【００７３】
ＲＡ手順が成功した後、これらのＵＥはＣＥレベル２及びＣＥレベル３の間で分散される。このＣＥレベル"再選択"は、［２］（ＴＳ  ３６．３２１）で説明されている現在のＲＡＣＨ手順の一部である。
【００７４】
図４は、セクション５．１．４の［２］（ＴＳ  ３６．３２１）において定義されているＲＡＣＨ手順のＣＥレベル"再選択"の側面を示している。この手順では、ランダムアクセス応答がＲＡ応答ウィンドウ内で受信されなかった場合、あるいは、全ての受信されたランダムアクセス応答が、伝送されたランダムアクセス・プリアンブルに対応するランダムアクセス・プリアンブル識別子を含まなかった場合、ランダムアクセス応答の受信が成功しなかったと判断され、また、ＭＡＣエンティティが以下に示す処理に進む。４０１では、ＰＲＥＡＭＢＬＥ＿ＴＲＡＮＳＭＩＳＳＩＯＮ＿ＣＯＵＮＴＥＲ＿ＣＥ＝対応する強化カバレッジレベルのｍａｘＮｕｍＰｒｅａｍｂｌｅＡｔｔｅｍｐｔＣＥ＋１であるかどうかが判定される。肯定的であると判定された場合、処理が４０２へ進む。４０２では、ＰＲＥＡＭＢＬＥ＿ＴＲＡＮＳＭＩＳＳＩＯＮ＿ＣＯＵＮＴＥＲ＿ＣＥがリセットされ、処理が４０３へ進む。４０３では、サービスセル及びＵＥによりサポートされている場合、ＭＡＣエンティティは次の強化カバレッジレベルにあると判定し、さもなければ、ＭＡＣエンティティは、現在の強化カバレッジレベルに留まり、処理が４０４へ進む。４０４では、ＭＡＣエンティティは、選択された強化カバレッジレベルに対応するランダムアクセス・プリアンブル・グループ、ｒａ‐応答ウィンドウサイズ、ｍａｃ−衝突解消タイマ及びＰＲＡＣＨリソースを選択する。
【００７５】
ＲＡＣＨ手順では、ＣＥレベル３のＵＥは、Ｒｅｐレベル２と比較してより多くのリピティションを要求するため、Ｒｅｐレベル３のＵＥは、ＣＥレベル２のＵＥよりも多くの無線リソースを利用する。
【００７６】
図５は、修正ＲＡＣＨ手順の一実施形態を示している。この修正ＲＡＣＨ手順は、上述の［２］（ＴＳ  ３６．３２１）で説明されているＲＡＣＨ手順に基づいている。しかしながら、ランダムアクセス応答がＲＡ応答ウィンドウ内で受信されなかった場合、あるいは、全ての受信されたランダムアクセス応答が、伝送されたランダムアクセス・プリアンブルに対応するランダムアクセス・プリアンブル識別子を含まなかった場合、ランダムアクセス応答の受信が成功しなかったと判断され、ＭＡＣエンティティが以下に示す処理に進む。５０１では、ＰＲＥＡＭＢＬＥ＿ＴＲＡＮＳＭＩＳＳＩＯＮ＿ＣＯＵＮＴＥＲ＿ＣＥ＝対応する強化カバレッジレベルのｍａｘＮｕｍＰｒｅａｍｂｌｅＡｔｔｅｍｐｔＣＥ＋１であるかどうかが判定される。肯定的であると判定された場合、処理が５０２へ進む。５０２では、ＰＲＥＡＭＢＬＥ＿ＴＲＡＮＳＭＩＳＳＩＯＮ＿ＣＯＵＮＴＥＲ＿ＣＥがリセットされ、処理が５０３へ進む。５０３では、サービスセル及びＵＥによりサポートされている場合、ＭＡＣエンティティは次の強化カバレッジレベルにあると判定し、さもなければ、ＭＡＣエンティティは、現在の強化カバレッジレベルに留まり、処理が５０４へ進む。５０４では、図１において説明されたアクセス制限チェックが各ＣＥレベル基準で実行され、処理が５０５へ進む。５０５では、アクセス制限チェックが成功したかどうかが判定され、処理が５０６へ進む。５０６では、ＭＡＣエンティティは、選択された強化カバレッジレベルに対応するランダムアクセス・プリアンブル・グループ、ｒａ‐応答ウィンドウサイズ、ｍａｃ−衝突解消タイマ及びＰＲＡＣＨリソースを選択する。５０５においてアクセス制限チェックが成功しなかった場合、処理が５０７へ進む。５０７では、ＭＡＣエンティティは、このＣＥレベルの制限タイマが満了するのを待つ。
【００７７】
この実施形態では、ランダムアクセス手順の間にＵＥにおいてＣＥレベルが変化したとき、アクセス制限パラメータ（ＡＣＢ／ＥＡＢ／ＡＣＤＣ）がチェックされる。例えば、ＵＥがＣＥレベル２からＣＥレベル３へと移動したとき、ネットワークがＣＥレベル３のＡＣＢ／ＥＡＢ／ＡＣＤＣパラメータを放送した場合に、ＵＥは、ＣＥレベル３でのアクセスが許可されているかどうかを判定する。ＵＥが制限されていた場合、ＵＥは、ＲＡプリアンブルを送信せずに、このＣＥレベルの制限タイマが満了するのを待つ。この処理では、ＵＥは乱数を描画し（図１の１０５）、それを放送された数と比較する（図１の１０６）必要がある。
【００７８】
カバレッジレベルが変化したときに、ＵＥが、新たな制限パラメータを見つけるためにＳＩＢ２を再度読み出さない場合を想定する。ＵＥは、一度にＳＩＢ２を取得して異なるパラメータを適用し、ＳＩＢ２の多重伝送のデコードを回避しようとする。しかしながら、アクセス制限が変化することがあり、又は、異なるバージョンのＳＩＢ２若しくは新たなＳＩＢ２が異なるＣＥモード、レベルで放送されることがある。従って、他の実施形態では、ＵＥは、ＣＥレベル（又はＣＥモード）の変化時に、新たなＡＣパラメータのＳＩＢ２を再取得するように構成されていてもよい。
【００７９】
アクセス制限チェック及びＣＥレベル変化
図６は、修正アクセス制限チェックの一実施形態を示している。図６の処理は、図１の処理に対応している。６０１では、タイマ３０２又は"Ｔ制限（Tbarring）が動作しているか、及びＣＥレベル（それぞれのＣＥモード）が変化していないかが判定される。イエスの場合、処理が６０２へ進み、ノーの場合、処理が６０３へ進む。６０２では、セルへのアクセスが制限されていると判断される。６０３では、ＳＩＢ２が、現在のＣＥレベル／モードの情報要素"ＡＣ制限パラメータ"を含むかどうかが判定される。イエスの場合、処理が６０４へ進み、ノーの場合、処理が６０７へ進む。６０４では、ＵＥが使用するのに有効なアクセスクラスであって、１１〜１５の範囲内の値でＵＳＩＭ上に記憶された、１以上のアクセスクラスをＵＥが有しているかどうかが判定される。６０４では、さらに、これらの有効アクセスクラスの少なくとも１つについて、現在のＣＥモードの"ＡＣ制限パラメータ"情報要素に含まれるａｃ−特別ＡＣ制限（ac-BarringForSpecialAC）における対応ビッドがゼロに設定されているかどうかが判定される。イエスの場合、処理が６０７へ進み、ノーの場合、処理が６０５へ進む。６０５、６０６、６０７、６０８、６０９及び６１０での処理は、図１の処理に対応している。この実施形態では、制限タイマが動作している期間中に、ＵＥがＣＥレベル２（ＣＥモードＢ）からＣＥレベル１（ＣＥモードＡ）へ移動した場合、ＵＥは、ＣＥレベル１（ＣＥモードＡ）のアクセス制限パラメータをチェックし（図６の６０３）、また、制限タイマを早期に終了する（図６の６０１）。この実施形態では、制限ファクタ及び制限時間が、異なるＣＥモードで異なり得るので、ネットワークは、浅いカバレッジよりも、深いカバレッジ（リピティションに起因）でより多くのＵＥを制限し得る。
【００８０】
同様に、ＵＥが１つのＣＥレベルで制限され、ａｃ−制限タイマが動作している場合もある。しかし、ＵＥは、異なるＣＥレベルに移動して異なる制限パラメータを持つか、又は制限されない。ここで、ＵＥは、新たなパラメータ毎にアクセス制限チェックを試み、以前のＣＥレベルに関するａｃ−制限タイマを停止させなければならない。上記の例は、例えば、ＵＥがＣＥモードＡ内でＣＥレベルを移行させた場合により適切である。測定の不正確さのため、ＣＥモードＢには関係がない可能性があるが、この手順は、全てのＣＥレベルに適用され得る。
【００８１】
上述の実施形態では、ＣＥレベルの変化があった場合に制限タイマが終了される。しかし、他の実施形態では、制限タイマは、全てのＣＥレベル／モードに亘って適用可能であり、つまり、ＭＡＣエンティティは、制限タイマが経過するまで待ち、その後、新たなＣＥレベルの新たな制限パラメータに基づく再接続を試みるだけでよい。
【００８２】
ＣＥレベル毎の２段階アクセスクラス制限
図７は、ＣＥレベル毎の２段階アクセスクラス制限の実施形態を示している。
【００８３】
この実施形態の第１の側面では、ＣＥレベル毎のアクセスクラス制限がＲＡリソースのみに適用可能である。７０１では、ネットワークは、ＲＡリソースが過負荷であるかどうかを判定する。イエスの場合、処理が７０２へ進み、ノーの場合、処理が７０４へ進む。７０２では、ネットワークは、ＲＡリソースのＣＥレベル毎のアクセス制限を放送し、その後、７０３へ進む。７０３では、ＵＥは、ＲＡ手順を開始する前に、ＲＡリソース制限をチェックする。これにより、ネットワーク側の柔軟性によって、過負荷になる可能性が最も高い区分されたＲＡリソースのアクセス制限を構成することができる。これにより、例えば、ＣＥレベル２のＵＥの増加の制限、及び他のＲＡリソース区分（例えば、ＣＥレベル０及びＣＥレベル１）の非制限によって、図３の文脈において上述のようにＣＥレベル２のＲＡリソースの過負荷を回避することができる。
【００８４】
この実施形態の第２の側面では、７０１でＲＡリソースが輻輳でないと判断された場合（例えば、ＲＡリソースに関するアクセス制限が成功したため）、その後、７０４において、ＵＥは、ＲＡ手順を実行し、その正確なＣＥレベルを判定し、ＲＡ手順中においてアクセス制限を適用しない。一旦、ＣＥレベルが判定されると、その後、７０５では、ＵＥは、ＲＲＣ接続要求（Ｍｓｇ３）を送信する前に、正確なＣＥレベルに対するアクセス制限チェックを実行する。
【００８５】
このアプローチの有益性は、レイヤの独立性を維持することができる点にある。アクセス制限は、ＲＲＣレイヤで特定され、ＲＡ手順は、ＭＡＣレイヤで特定される。ＲＲＣにおいてＣＥレベル毎のアクセス制限を導入する際に、ＭＡＣの動作を修正する必要がない。ＲＲＣ接続要求（Ｍｓｇ３）はＲＲＣメッセージであり、制限はＲＲＣで適用され得る。アクセス制限の対象となる、ｅＮＢへのランダムアクセス・プリアンブル伝送（Ｍｓｇ１伝送）も、ＲＲＣサブレイヤによりトリガされる。しかし、ＵＥは、制限されてもＲＡ手順を実行する。
【００８６】
高精度ＲＳＲＰ測定
上述のように、ＳＮＲがとても低いので、深いカバレッジ、例えば、ＣＥレベル２及び３では、ＵＥのＲＳＲＰ測定は正確ではない。正確な測定を得るための１つの方法は、より多くのＣＲＳサンプルを蓄積するか、あるいは、ＰＳＳ（Primary Synchronization Signal）／ＳＳＳ（Secondary Synchronization Signal）、ＰＢＣＨ（Physical Broadcast Channel）等の他の既知のシグナルを利用するかである。
【００８７】
従って、図８は、ＡＣ制限パラメータが特定のＣＥレベルに対して設定された場合に、高精度ＲＳＲＰ測定が実行される実施形態を示している。８０１では、ＵＥは、ＡＣ制限パラメータが特定のＣＥレベル（ＵＥの現在のＣＥレベル）に対して設定されているかどうかを判定する。イエスの場合、処理が８０３へ進み、ノーの場合、処理が８０２へ進む。８０３では、ＵＥは、測定の実行に時間が掛かる可能性がある、高精度な測定手順に切換える。このような処理は、ＲＡＮ４で指定され得る。８０２（ＡＣ制限が有効でない）では、ＵＥは、低精度の測定に戻る。これは、ＵＥが、ＡＣ制限なしで、ＰＲＡＣＨランピングを実行し、異なるＣＥ間を移動すると認められる。しかし、ＡＣ制限が有効な場合、ＵＥは、上述の各実施形態のように異なるＣＥレベル間を移動することができず、従って、より多くの測定サンプル（つまり、パワーも）を使用し、高精度な測定を得ることは有益である。
【００８８】
制限時間の増加
別の実施形態では、リピティションを考慮してネットワークが深いカバレッジのＵＥをより長い時間制限できるように、標準において現在指定された５１２秒の値を超えて、Ｔ制限（Tbarring）パラメータが増加しており、例えば、１０２４秒、２０４８秒、４０９６秒、８１９２秒等の２以上の追加値が加えられている。この実施形態では、Ｔ制限（Tbarring）の値の範囲が全てのＣＥレベルで強化され、従って、ネットワーク側が、独立して、異なる時間で異なるＣＥレベルにおいてＵＥを制限する柔軟性が提供される。しかしながら、他の実施形態では、Ｔ制限（Tbarring）の値の範囲が深いカバレッジレベルについてのみ強化されてもよい。
【００８９】
ＣＥレベル依存の制限時間
さらに別の実施形態では、Ｔ制限（Tbarring）パラメータはＣＥレベルに合わせてスケールアップされる。例えば、式（０．７＋０．９×ｒａｎｄ）×ａｃ−制限時間（ac-BarringTime）（図６の６１０、及び上記の対応する説明）は、ＣＥレベルが乗算されて修正されてもよく：［（０．７＋０．９×ｒａｎｄ）×ａｃ−制限時間（ac-BarringTime）］×ＣＥレベル（１、２、３）、あるいは、ＣＥレベルに合わせてスケールアップされる任意の他の一定値で修正されてもよい。
【００９０】
実装
以下では、汎用コンピュータ１３０の一実施形態を、図９を参照して説明する。コンピュータ１３０は、それが基本的に任意の種類のエンティティ、基地局もしくは新しい無線基地局、送信および受信ポイント、または本明細書に記載されるようなユーザ装置として機能することができるように実装することができる。コンピュータは、本明細書で説明されるように、エンティティ、基地局、およびユーザ機器の回路のうちの任意の１つなどの回路を形成することができる構成要素１３１〜１４０を有する。
【００９１】
本明細書に記載の方法を実行するためにソフトウェア、ファームウェア、プログラムなどを使用する実施形態は、コンピュータ１３０にインストールすることができ、コンピュータ１３０は具体的な実施形態に適するように構成される。
【００９２】
コンピュータ１３０は、例えば読み出し専用メモリ（ＲＯＭ）１３２に格納された、記憶装置１３７に記憶されランダムアクセスメモリにロードされた、それぞれのドライブ１３９などに挿入することができる媒体１４０に格納されたプログラムに従って本明細書に記載されているような様々な種類の手順および方法を実行することができるＣＰＵ１３１（中央処理装置）を有する。
【００９３】
ＣＰＵ１３１、ＲＯＭ１３２、およびＲＡＭ１３３はバス１４１に接続されており、バス１４１には入出力インターフェース１３４が接続されている。ＣＰＵ、メモリおよび記憶装置の数は単なる例示であり、当業者であれば、コンピュータ１３０が基地局およびユーザ機器として機能するときに生じる特定の要件を満たすようにコンピュータ１３０を適合させ、構成できることを理解できよう。
【００９４】
入出力インターフェース１３４には、いくつかの構成要素、すなわち入力１３５、出力１３６、記憶装置１３７、通信インターフェース１３８、およびドライブ１３９が接続されている。ドライブ１３９には、媒体１４０（コンパクトディスク、デジタルビデオディスク、コンパクトフラッシュ（登録商標）メモリ、など）を挿入できる。
【００９５】
入力１３５は、ポインタ装置（マウス、グラフィックテーブルなど）、キーボード、マイクロフォン、カメラ、タッチスクリーンなどとすることができる。
【００９６】
出力１３６は、ディスプレイ（液晶ディスプレイ、陰極線管ディスプレイ、発光ダイオードディスプレイなど）、拡声器などを有することができる。
【００９７】
記憶装置１３７は、ハードディスク、ソリッドステートドライブなどを有することができる。
【００９８】
通信インターフェース１３８は、例えば、ローカルエリアネットワーク（ＬＡＮ）、無線ローカルエリアネットワーク（ＷＬＡＮ）、移動体通信システム（ＧＳＭ（登録商標）、ＵＭＴＳ、ＬＴＥなど）、Ｂｌｕｅｔｏｏｔｈ（登録商標）、赤外線などを介して通信するように構成することができる。
【００９９】
上記の説明は、コンピュータ１３０の例示的な構成にのみ関連することに留意されたい。追加のまたは他のセンサ、記憶装置、インターフェースなどを用いて代替構成を実施することができる。例えば、通信インターフェース１３８は、言及したＵＭＴＳおよびＬＴＥ以外の他の無線アクセス技術をサポートしてもよい。
【０１００】
コンピュータ１３０が基地局として機能するとき、通信インターフェース１３８は、それぞれのエアインターフェース（例えば、Ｅ−ＵＴＲＡプロトコルＯＦＤＭＡ（ダウンリンク）およびＳＣ−ＦＤＭＡ（アップリンク）を提供する）およびネットワークインターフェース（例えば、Ｓ１−ＡＰ、ＧＴＰ−Ｕ、Ｓ１−ＭＭＥ、Ｘ２−ＡＰなど）をさらに有することができる。さらに、コンピュータ１３０は、１つまたは複数のアンテナおよび／またはアンテナアレイを有することができる。本開示は、そのようなプロトコルのいかなる特定性にも限定されない。
【０１０１】
本明細書に記載の方法は、いくつかの実施形態では、コンピュータおよび／またはプロセッサおよび／または回路上で実行されると、コンピュータおよび／またはプロセッサおよび／または回路に方法を実行させるコンピュータプログラムとしても実装される。いくつかの実施形態では、コンピュータプログラム製品を格納する非一時的コンピュータ可読記録媒体も提供され、それは、上述のプロセッサ／回路などのプロセッサ／回路によって実行されると、本明細書に記載の方法が実行される。
【０１０２】
実施形態は、方法ステップの例示的な順序で方法を説明していることを認識されたい。しかしながら、方法ステップの具体的な順序は説明の目的のためだけに与えられており、拘束力があると解釈されるべきではない。
【０１０３】
図９の制御または回路のユニット１３１〜１４０への分割は説明の目的のためだけになされたものであり、本開示は特定のユニットにおける特定の機能の分割に限定されないことに留意されたい。例えば、回路の少なくとも一部は、それぞれのプログラムされたプロセッサ、フィールドプログラマブルゲートアレイ（ＦＰＧＡ）、専用回路などによって実施され得る。
【０１０４】
本明細書に記載され特許請求の範囲に請求されるすべてのユニットおよびエンティティは、特に断らない限り、例えばチップ上に集積回路ロジックとして実装することができ、そのようなユニットおよびエンティティによって提供される機能は、特に明記しない限り、ソフトウェアによって実装することができる。
【０１０５】
上述の開示の実施形態が少なくとも部分的にソフトウェア制御データ処理装置を使用して実施される限りにおいて、そのようなソフトウェア制御を提供するコンピュータプログラムおよびそれを伝送するための伝送、記憶または他の媒体は理解されるであろう。 本開示の態様として、コンピュータプログラムが提供されることが想定される。そのようなソフトウェア制御を提供するコンピュータプログラム、およびそのようなコンピュータプログラムが提供される伝送、記憶、または他の媒体が本開示の態様として想定されることを理解されよう。
【０１０６】
なお、本技術は以下のように構成することもできる。
（１）  予め定義されたカバレッジレベル（ＣＥレベル０、ＣＥレベル１、ＣＥレベル２、ＣＥレベル３）で固有の１以上のアクセス制御パラメータ（ＡＣ−制限設定レベル０、ＡＣ−制限設定レベル１、ＡＣ−制限設定レベル２、ＡＣ−制限設定レベル３）に基づくランダムアクセス手順を実行するように構成される回路
を含む装置。
（２）  （１）に記載の装置であって、    
前記回路は、１以上の予め定義されたカバレッジレベル（ＣＥレベル０、ＣＥレベル１、ＣＥレベル２、ＣＥレベル３）に対して、各カバレッジレベルで固有の１以上のアクセス制御パラメータ（ＡＣ−制限設定レベル０、ＡＣ−制限設定レベル１、ＡＣ−制限設定レベル２、ＡＣ−制限設定レベル３）を受信するように構成される
装置。
（３）  （１）又は（２）に記載の装置であって、
前記回路は、そのカバレッジレベル（ＣＥレベル０、ＣＥレベル１、ＣＥレベル２、ＣＥレベル３）に基づくカバレッジ固有のアクセス制御パラメータ（ＡＣ−制限設定レベル０、ＡＣ−制限設定レベル１、ＡＣ−制限設定レベル２、ＡＣ−制限設定レベル３）を適用するように構成される
装置。
（４）  （１）〜（３）のうちいずれか１つに記載の装置であって、
前記回路は、測定（ＲＳＲＰ）によりそのカバレッジレベル（ＣＥレベル０、ＣＥレベル１、ＣＥレベル２、ＣＥレベル３）を判定するように構成される
装置。
（５）  （１）〜（４）のうちいずれか１つに記載の装置であって、
４つの予め定義されたカバレッジレベル（ＣＥレベル０、ＣＥレベル１、ＣＥレベル２、ＣＥレベル３）が存在し、及び／又は、２つの予め定義されたカバレッジモード（ＣＥモードＡ、ＣＥモードＢ）が存在する
装置。
（６）  （１）〜（５）のうちいずれか１つに記載の装置であって、
制限時間（ｔ制限）は、前記カバレッジレベルに依存する
装置。
（７）  （１）〜（６）のうちいずれか１つに記載の装置であって、
前記回路は、強化カバレッジにおいて修正ランダムアクセス（ＲＡ）手順を実行し、カバレッジレベル固有のアクセス制限パラメータを考慮するように構成される
装置。
（８）  （１）〜（７）のうちいずれか１つに記載の装置であって、
カバレッジ固有のアクセス制御パラメータ（ＡＣ−制限設定レベル０、ＡＣ−制限設定レベル１、ＡＣ−制限設定レベル２、ＡＣ−制限設定レベル３）は、カバレッジ固有の制限ファクタ（ａｃ−制限ファクタ）、カバレッジ固有の制限時間（ａｃ−制限時間）、及び／又はカバレッジ固有のアクセスクラスビット（ａｃ−特別ＡＣ制限）を含む
装置。
（９）  （１）〜（８）のうちいずれか１つに記載の装置であって、
前記回路は、カバレッジレベル再選択処理を実行するように構成される
装置。
（１０）  （９）に記載の装置であって、
前記回路は、前記カバレッジレベル再選択処理において、固有カバレッジレベルのアクセス制限チェックを実行するように構成される
装置。
（１１）  （１０）に記載の装置であって、
前記回路は、ランダムアクセス手順中にカバレッジレベルが変化したときに前記アクセス制限チェックを実行するように構成される
装置。
（１２）  （１０）又は（１１）に記載の装置であって、
前記回路は、前記固有カバレッジレベルに対するアクセス制限チェックが成功しなかった場合、カバレッジレベルの制限タイマが満了するのを待つように構成される
装置。
（１３）  （１０）〜（１２）のうちいずれか１つに記載の装置であって、
前記回路は、前記固有カバレッジレベルに対するアクセス制限チェックが成功した場合、選択された強化カバレッジレベルに応じて、ランダムアクセス・プリアンブル・グループ、応答ウィンドウサイズ、衝突解消タイマ、及び／又はＰＲＡＣＨリソースを選択するように構成される
装置。
（１４）  （１０）〜（１３）のうちいずれか１つに記載の装置であって、
前記アクセス制限チェックは、ＭＡＣレイヤ上で実行される
装置。
（１５）  （１）〜（１４）のうちいずれか１つに記載の装置であって、
前記回路は、前記カバレッジレベルが変化したとき、制限タイマを終了するように構成される
装置。
（１６）  （１）〜（１５）のうちいずれか１つに記載の装置であって、
前記回路は、ＲＡアクセス制限を実行し、ＲＡアクセス制限が成功した場合、他のリソース制限を実行するように構成される
装置。
（１７）  （１６）に記載の装置であって、
ＲＲＣ及びＭＡＣレイヤの独立性は維持される
装置。
（１８）  （１）〜（１７）のうちいずれか１つに記載の装置であって、
前記回路は、特定のカバレッジレベルに対してＡＣ制限パラメータが設定された場合、高精度ＲＳＲＰ測定を実行するように構成される
装置。
（１９）  （１）〜（１８）のうちいずれか１つに記載の装置であって、
前記装置は、ユーザ装置である
装置。
（２０）  予め定義されたカバレッジレベルで固有のアクセス制御パラメータを放送するように構成された回路
を含む装置。
（２１）  （２０）に記載の装置であって、
前記装置は、カバレッジレベルアクセス制限が浅いカバレッジＵＥよりも深いカバレッジＵＥが優先するように、アクセス制御パラメータを選択するように構成される
装置。
（２２）  （２０）又は（２１）に記載の装置であって、
前記回路は、カバレッジ固有のアクセスクラス制限をＲＡリソースのみに適用するように構成される
装置。
（２３）  （２０）〜（２２）のうちいずれか１つに記載の装置であって、
前記装置は、基地局等のネットワークエンティティである
装置。
（２４）  予め定義されたカバレッジレベル（ＣＥレベル０、ＣＥレベル１、ＣＥレベル２、ＣＥレベル３）で固有の１以上のアクセス制御パラメータ（ＡＣ−制限設定レベル０、ＡＣ−制限設定レベル１、ＡＣ−制限設定レベル２、ＡＣ−制限設定レベル３）に基づくランダムアクセス（ＲＡ）手順を実行する
ことを含む方法。
（２５）  プロセッサ上で実行されると、予め定義されたカバレッジレベル（ＣＥレベル０、ＣＥレベル１、ＣＥレベル２、ＣＥレベル３）で固有の１以上のアクセス制御パラメータ（ＡＣ−制限設定レベル０、ＡＣ−制限設定レベル１、ＡＣ−制限設定レベル２、ＡＣ−制限設定レベル３）に基づくランダムアクセス（ＲＡ）手順を実行する指令
を含むコンピュータプログラム。
（２６）  プロセッサにより実行されると、（２４）に記載された方法が実行されるコンピュータプログラム製品を格納する非一時的なコンピュータ読み取り可能な記録媒体。
【図１】
2020512776.tif 000003
【図２】
2020512776.tif 000004
【図３】
2020512776.tif 000005
【図４】
2020512776.tif 000006
【図５】
2020512776.tif 000007
【図６】
2020512776.tif 000008
【図７】
2020512776.tif 000009
【図８】
2020512776.tif 000010
【図９】
2020512776.tif 000011
【国際調査報告】
2020512776.tif 000012
2020512776.tif 000013
2020512776.tif 000014
2020512776.tif 000015